(57)【要約】【課題】　プラグタイプのインサート保持具であって、プラグ部を取り外す際に操作しやすいものを提供する。【解決手段】　インサート保持具１０は、インサート６の開口側に装着されるプラグ部１１と、このプラグ部１１の設定面１２から突き出た突起部２０を備えている。プラグ部１１は突起部２０と反対側に開いた中空状に成形でき、設定面１２から伸びた突起部２０の径を小さくできる。型枠に予め用意してある設定孔にこの突起部を挿入すれば、インサートを設定でき、設定孔の径も小さくて済む。設定面１２には、プラグ部１１を取り外す操作部３０を設けてあり、脱型後はコンクリートの表面に現れた操作部３０によってプラグ部１１を取り外せるので、操作し易く、取り外し作業も確実に短時間でできる。【選択図】　　　　図１
2004009741.tif 000002
【特許請求の範囲】
【請求項１】
少なくとも一方の端が開口となった中空のインサートを型枠に装着するインサート保持具であって、前記インサートの開口に挿入可能なプラグ部を有し、このプラグ部は、当該プラグ部を前記インサートから取り外す際に治具で操作できる少なくとも１つの操作部を備えていることを特徴とするインサート保持具。
【発明の詳細な説明】
【技術分野】
【０００１】
　本発明は、コンクリート製品に埋設されるインサートを保持し、型枠に設定するインサート保持具に関するものである。
【背景技術】
【０００２】
　近年、耐久性の型枠を用いて製造されるコンクリート２次製品において、雌ねじ等を内部に有する中空のインサートが数多く埋設されている。電線を地中に埋設する際に用いられるハンドホールや、ガス、水道などを併設可能な共同溝においては、ケーブルラックやパイプラックの設置を容易に行えるように、多量のインサートを所定の場所に予め埋設していることが多い。
【０００３】
　図４２に、インサートを型枠に対し設定するために従来から採用されている方法を例示してある。図４３に拡大して示すように、外型枠１や内型枠３の反対側から設定用のボルト５あるいは８を通し、インサート６の内部に形成されている雌ねじを用いてインサート６を型枠１および３の所定の箇所に設定する方法は一般的なものである。
【０００４】
　この方法では、型枠１および３のインサート６の開口部が位置する場所、あるいは、その反対側に、設定用のボルト５あるいは８を通せるようなインサートの内径より大きな穴を開けておく必要がある。また、インサート６を設定する際に、型枠１あるいは３のインサート６を設定する面と反対側の面から設定用のボルト５あるいは８を操作する必要がある。このため、型枠のサイズがごく小さなものを除き、インサート６を設定するために複数の作業員が必要となる。さらに、外型枠１と内型枠３との間にコンクリートを注入し、コンクリート製品２が成形された後、設定用のボルト５あるいは８を取り外さないと脱型できない。
【発明の開示】
【発明が解決しようとする課題】
【０００５】
　ハンドホールや共同溝のような方形や溝型の内面に埋設する際は、図４２に示したコンクリート製品２の内面を成形する内型枠３から設定用のボルト５を予め外さなければならない。この内型枠には作業員の手が入らないので、コンクリート製品ごと型枠を吊り上げたり、これらを反転させて作業員が内型枠３の内部に入る必要がある。コンクリート２次製品を型枠と一緒にクレーンで反転させたり、あるいはジャッキアップするためには、これらのコンクリート２次製品の重量は２〜３トン以上あるので、大型の設備が要求される。また、このような重量物をクレーンで持ち上げて内部に作業員が入ったり、重量物を反転する工程は危険が伴うので、監視等に多くの作業員が必要となり、作業員の負荷も高い。
【０００６】
　また、コンクリート製品を量産する耐久性の型枠では、型枠の寸法精度を確保することは、成形後のコンクリート製品の精度を保持する面でも重要であり、脱型をスムーズに行うためにも重要である。内型枠３のようにコンクリート製品の内面を滑らせるようにして脱型する型枠は、高い精度で製作し、使用中においても歪みや凹凸の発生を防止しないと脱型ができない。インサートを設定するために型枠に大きな孔を開けると歪みや凹凸が発生し易いので、熟練した作業員が必要となる。インサートの取付位置を変更する等の場合には、型枠に開けた孔を溶接などによって塞がなければならないが、歪みなどが発生しないように補修作業をすることは難しく、補修ができない場合は、インサートの埋設位置が変わる度に、新しい型枠を新設する必要もある。
【０００７】
　これにたいし、設定用ボルト８のように外型枠１の側から内型枠３にインサートを固定するボルトを用いれば、内型枠３の中からボルトを取り外す工程は避けれる。しかし、このボルト８を用いてインサートを設定するには手間がかかるし、埋設位置の精度を出すには熟練が必要である。また、ボルト８を取り除いた後、モルタル詰めする必要があり、この際、コンクリート製品に水の浸透する経路が発生し易いという問題がある。さらに、脱型を考慮して若干テーパー状となった内型枠を採用している場合は、インサートを設置する位置に応じて複数の設定用ボルト８を用意する必要がある。
【０００８】
　図４４に示すように設定ボルト５あるいは８に代わり、略円筒形のボス４を用いてインサート６を設定する方法がある。図４５に、ボス４に装着する中空のプラグ７を拡大して示してある。本方法では、本体７ａをインサートの開口にねじ込み、プラグ７をボス４に嵌め込むことによって、インサート６をボス４の取り付けられた所定の場所に装着する。このように設定されたプラグ７は、脱型するときに、インサート６に取りついたままの状態でボス７から外れるので、上述したような設定用のボルトは不要である。インサート６を使用する時は、プラグ７の底に設けられた溝９にドライバーなどの治具を挿入しプラグ７をインサート６から取り外す。従って、プラグ７は、ボス４に取付でき、また、溝９にドライバーが届くように型枠に面した側が開いた内部７ｄの中空となった本体７ａと、インサート６の雌ねじに対応した雄ねじ部７ｂと、さらに、溝９を形成するために突出した部分７ｃとを備えている。
【０００９】
　このようなボス４およびプラグ７を用いてインサート６を型枠に設定する方法であれば、脱型時の手間を省略でき、作業の軽減を図れる。この方法は、台盤のように、コンクリート製品の面に対し垂直に取り外す型枠にインサートを設定する場合は問題ない。しかし、外型枠１のように旋回して取り外す型枠ではボス４とコンクリート製品２が干渉してしまい脱型できず、コンクリート製品にこば欠けが生じる。また、内型枠３のように型枠を滑らせるように脱型する場合は、ボスとコンクリート製品が干渉するので、インサートを取り付けできない。
【００１０】
　本発明は、上述したような従来の設定方法で課題となっている種々の問題を解決できるインサート保持具を提供することを目的としている。共同溝や、ハンドホールなどでは、現場での作業を少なくし作業の効率化を良く進めるためにインサートを共同溝の内側にも埋設するケースが増加しており、これらの要求に対応できるコンクリート製品の製造方法を提供することも本発明の目的としている。さらに、本発明のインサート保持具を設定するのに好適な耐久性の型枠を提供することも本発明の目的である。
【００１１】
すなわち、本発明においては、設定用のボルトを用いずに、作業員１人でも、簡単に型枠に設定できるインサート保持具を提供することを目的としている。さらに、脱型時に、設定用のボルトを外すような余分な工程が不要で、内型枠のように型枠を滑らせるようにして脱型する場合でも、型枠を旋回して取り外す場合でも使用できるインサート保持具を提供することを目的としている。また、型枠に設けるインサートを設定するための孔の径を小さくし、型枠の劣化を防止し、さらに、インサートの位置の変更も簡単にできるインサート保持具を提供することを目的としている。また、インサート保持具によってインサートの開口部を使用直前まで保護し、埋設した後にインサートにゴミが詰まったり、雨水などによる錆の防止が可能なインサート保持具を提供することも目的としている。さらに、このような多くのメリットを備えた安価なインサート保持具を提供することを目的としている。
【００１２】
　従来、インサートを埋設したコンクリート製品を製造する過程では、インサートの埋設されていないコンクリート製品を製造する場合より多くの工程や、手数がかかり、作業員の労力も大きい。そこで、本発明においては、インサートを埋設したコンクリート製品をより簡単に、短期間で、作業員の労力をできるかぎり省いて提供できる製造方法を提供することを目的としている。また、安価で手間のかからないインサート保持具を用いてコンクリート製品を製造することにより、コンクリート製品の製造コストを低減し、納期を短縮できる製造方法を提供することも目的としている。
【課題を解決するための手段】
【００１３】
　少なくとも一方の端が開口と中空のインサートを型枠に装着するものであって、インサートの開口に挿入可能なプラグ部を備え、このプラグ部の型枠に面した側を略平坦は設定面とし、さらに、この設定面から少なくとも１本の突起が突き出ており、この突起を型枠に設けた設定孔に装着することによって、インサートが設定、すなわち、インサートが型枠の所定の位置に装着できるインサート保持具であれば、突起部を設定孔に装着、例えば、押し込み、嵌め込み、たたき込み、あるいはねじ込みことによって取り付けできれば、インサート保持具を型枠に設定することは容易であり、型枠の外側から取付ボルトを通す必要はなく、作業員１人でも簡単にインサートを型枠に設定できる。この突起部を脱型時に働く力によって切断できたり、設定孔から外れるような構成にしておけば、内型枠や外型枠のように脱型時にどのように動く型枠にも設定でき、脱型時の作業を大幅に省ける。
【００１４】
　さらに、プラグ部の型枠に面する側にほぼ平坦な設定面を設け、この設定面から突起部を突出させることが望ましい。ポリプロピレンなどの通常のプラスチックや塩ビ、あるいは強化ポリエチレン等のいわゆるエンジニアリングプラスチックなどプラスチック材料を含む樹脂を用いて本発明に係るインサート保持具を成形する際に、設定面に対し反対側に飛びだした突起部とプラグ部を、設定面を挟んでそれぞれの側から各々の成形金型を用いて成形できるからである。従って、プラグ部の径や形状と、突起部の径や形状を、それぞれの機能に適した寸法や形状に設計できる。このため、突起部の径を小さくしたり、突起部を脱型時に作用する力によって切断できるような構成を採用できる。そして、このような形状の突起部を採用しても、プラグ部は、それに適した機能、すなわち、密封性や、取り外し易さといった要求に合致した形状にできる。樹脂によってプラグ部を成形する場合は、設定面に対して突起部とは反対側に成形用型枠が抜けるデザインを採用でき、この場合、プラグ部を略筒状で設定面と反対側の少なくとも一部が開いた形状となる。このようなインサート保持具の成形金型は簡易になり、多用な機能を簡単に実現できる。
【００１５】
　このようなインサート保持具においては、プラグ部を取り外す際に治具によって操作できる操作部を設けることによりプラグ部の取り外しが簡単に行える。この操作部は、プラグ部の内部に設けても良いが、コンクリートの表面にでる設定面に設けた方が、コンクリート製品の表面から操作する面では好ましい。さらに、プラグ部を取り外す際に治具によって操作できる操作部を設定面に設ければ、コンクリート製品が成形された後は、その表面に操作部が露出するので、プラグ部の取り外しが簡単に行える。また、脱型時に突起部がプラグ部から切断されるようにしておけば、操作部を操作する時には突起部は邪魔にならないので、操作部と突起部は個々に設計でき、それぞれの機能に適した構成を採用できる。
【００１６】
　また、設定面が型枠の表面と密着するようにしておけば、コンクリートののろが設定孔と突起部との間に侵入するのを防止できる。これによって、設定孔がのろで塞がることはなく、後述するように分断された設定孔に残った突起部を取り外しやすくなる。また、設定面に設けられた操作部へのコンクリートののろの侵入も防止できる。この設定部の周囲に、スポンジなどの型枠の表面に合わせて変形可能なシールを設けてのろの侵入をさらに確実に防止することも可能である。
【００１７】
　本発明のインサート保持具では、上述したように突起部の外径をプラグ部の外径より小さくすることは簡単であり、これによって、型枠に用意する設定孔の径も小さくできる。従って、型枠の歪みを防止し、型枠の寸法精度を確保し易く、設定孔も開けやすい。さらに、設定孔の径が小さくて済めば、インサートの設定位置を変更する場合でも、設定孔を塞がなくて済む。従来のように、設定孔の内径がインサートの内径程度であると、設定孔からコンクリートが流出するので、溶接などによって使用しない設定孔を塞ぐ必要があり、型枠に歪みが生じないようにするには熟練が必要であった。しかし、設定孔を小さくして、径が５ｍｍ程度であれば、コンクリートののろによって塞がるので、使用しない設定孔を塞ぐ必要はない。この点および突起部の強度を勘案すると、突起部の外径は、２〜１０ｍｍ程度が望ましく、３〜８ｍｍ程度がさらに望ましい。設定孔の外径が１０ｍｍ程度であっても、設定孔はテープなどによって簡単に塞げる。
【００１８】
　突起部とプラグ部の接続部分が、型枠から脱型する際に働く力によって分断されれば、インサートが埋設されていることは脱型作業の障害にならないので、インサートを埋設していないコンクリート製品と同じ工程で脱型作業を行える。内型枠のように作業員の手の入らないところにインサートを設定しても、脱型時に突起部が自ら外れるので無理をして作業員が型枠の内部に入り込む必要もない。このため、脱型工程を簡略化でき、作業員の労力も軽減できる。また、旋回して取り外す型枠では、型枠を取り外す時の力によって突起部が自ら分断されたり、型枠から外れるので、型枠の旋回半径に関係なくインサートを設置できる。従って、どのような場所にでもこば欠けや、脱型不良といったトラブルなしにインサートを埋設できる。
【００１９】
　接続部分を切断し易くするには、突起部の径を小さくできることが望ましく、本発明のインサート保持具では、設定面でプラグ部と突起部を分離してあるので、突起部の径をプラグ部の径と関係なく小さくできる。また、突起部を中空にして切断し易くすることも可能である。この場合でも、突起部の径が大きいと、脱型時に働く力によって突起部に歪みが生じ、接続部分が切断されにくくなることも考えられるので、突起部の径は小さいほうが望ましい。
【００２０】
　また、接続部分を切断し易くするには、接続部分の断面積を突起部の断面積より小さくすることも有効である。例えば、接続部分の近傍を突起部の先端に向かって広がらせたり、接続部分に、突起部の伸びた方向に沿って、あるいは突起部の伸びた方向と直角に凹みや、切れ目を設けることができる。また、接続部分に、突起部の伸びた方向と略直角に貫通する少なくとも１筋の孔を設けても良い。さらに、この接続部分に形成された孔と繋がった少なくとも１筋の溝を設定面に形成しており、プラグ部を取り外す時はこの溝を治具によって操作できるようにしても良い。
【００２１】
　設定孔に装着できる突起部として、設定孔と嵌合する柱部分を備えているものがある。柱部分と設定孔との関係は、いわゆる止まりばめ、あるいはしまりばめの状態であることが望ましい。また、設定孔への影響を考慮すると、柱部分としては、型枠の素材より軟質の素材を用いることが望ましい。耐久性の型枠として鉄板などの金属が採用されていることが多いので、柱部分としては、プラスチックなどの樹脂によって成形されたものを用いれる。
【００２２】
　また、突起部が、設定孔に合わせて断面が略弾性的に変形する柱部分を備えていても良い。例えば、柱部分の半径方向に延びた複数のリブを具備しているものや、三日月型、半月型、星型、多角形など、設定孔の内面に少なくとも２点で接触する形状を採用できる。このような形状であれば、設定孔に挿入すると、断面が設定孔に合わせて変形し設定孔の内面を圧迫するので、柱部分の弾性力や、設定孔との摩擦力によってプラグ部を型枠に取付できる。このような形状の柱部分は、設定孔から取り出した時に完全に弾性的に形状が復帰する必要はなく、塑性変形を伴う場合も含まれ、設定孔の形状に影響を与えることなくプラグ部を介してインサートを型枠に設定できる付着力を得られるものであれば良い。周期的に凹凸を繰り返す断面形状や、突起部の長手方向に周期的に凹凸を繰り返すような形状を備えた柱部分であっても良い。
【００２３】
　また、このような略弾性的な変形が可能な柱部分を備えた突起部が、型枠を貫通する長さであれば、型枠を貫通した部分は原型に復帰する傾向を持っているので、さらに強い付着力を得られる。
【００２４】
　また、型枠を貫通した後に広がる貫通部分を備えた突起部であっても、設定孔を介してプラグ部を型枠に設定できる。貫通部分によって設定孔を圧迫するものや、貫通部分が貫通後に型枠のインサートを設定された面と反対側の面を押圧して付着力を得られるものも含まれる。このような貫通部分としては、略矢尻型をしたものや、貫通部分の先端に向かって広がった部分を備えているものなどがある。
【００２５】
脱型時にプラグ部から分離して設定孔に残った突起部は、設定孔から簡単に外せる。例えば、先端に向かって広がった部分を突起部に設けておけば、突起部が切断されると型枠の反対側に動きやすくなるので、残った突起部を排除し易い。また、リブなどの設定孔に挿入した時に設定孔との間に隙間が生ずる形状の突起部を採用すれば、この隙間を用いて切断されて型枠の設置孔に残った突起部に回転を与え取り除く作業を簡単にできる。
【００２６】
　突起部は、１本に限定されず、複数の突起部を設け、これらによってインサートを確実に型枠に設定するために必要な付着力を得ることも可能である。複数の突起部を備えている場合は、これらの突起部が、設定孔の側面を相互に圧迫できるように配置されていても良い。また、これらの突起部が、設定孔を貫通してから型枠の裏面に沿って反対側に延びる部分を備えているものであっても良い。これら複数の突起部は、各々が複数の設定孔に挿入されるように配置されていても良く、また、複数の突起部が１つの設定孔に挿入されるように配置されていても良い。
【００２７】
　さらに、本発明に係るインサート保持具に設けてある突起部は、型枠に予め開けてある設定孔に装着するものなので、その先端は鋭角になっている必要はなく、非尖塔状に滑らかに狭まっていれば良い。例えば、略半円状または略半球状の先端で良い。先端が鋭角でないので、作業中に作業員自身や、作業用の衣類などを傷つけることはなく、型枠の傷も防止できる。また、先端が細くなる形状にしておけば、設定孔に突起部を導きやすい。
【００２８】
　また、突起部は、設定孔の少なくとも１部に形成された雌ねじに対しねじ込み可能な柱部分を備えているものであっても良い。この柱部分に雄ねじを予め形成してあっても良く、あるいは柱部分を樹脂などの設定孔の材質より軟質の素材によって形成しておき、設定孔に柱部分をねじ込むと柱部分に雄ねじが切られるものであっても良い。
【００２９】
　本発明においては、突起部が設定面から伸びているので、突起部がねじ込むタイプのものであっても、突起部の形状はプラグ部に左右されず、小径にしたり、プラグ部から切断され易くするなど構成を自在に採用できる。例えば、柱部分は円柱の他に、柱部分の半径方向に延びた複数のリブを具備したものなどを採用できる。
【００３０】
　設定面の一部を後退させることにより、操作部を構成できる。このような操作部としては、設定面の一部が段差状に後退したものや、設定面の一部が凹んだものがある。設定面の一部が凹んだものとして、ドライバーなどの治具を挿入し易い溝状のものや、複数の凹みを設けそれらの凹みに取り外し用の治具を挿入できるようにしたものなどがある。
【００３１】
　本発明に係るインサート保持具は、上述したようにプラスチックのような樹脂等によって成形する場合に好適なものであり、そのプラグ部の外周面に、インサートの内部に形成された雌ねじに対応する雄ねじを予め形成しておくことができる。また、外周面を樹脂製とし、インサートに内部にねじ込むと、インサートの雌ねじによって雄ねじが切られるようにしても良い。プラグ部をインサートの開口部に密着した状態で挿入でき、製造時にコンクリートののろが侵入するのを防止したり、製造後にごみ、水分などがインサートの内部に侵入するのを防止できる。また、インサートが樹脂製であったり、本発明に係るインサート保持具とは別に、インサートの開口部を保護し、インサートに付随して埋設される樹脂製のインサート保持具を備えている場合は、プラグ部の外周面に雄ねじを形成しておき、この雄ねじの一部をカットしておいても良い。このようなプラグ部を挿入することによってインサートに付随したインサート保持具に雌ねじを切ってプラグ部を密着させることができる。
【００３２】
　プラグ部が樹脂製の場合は、設定面に操作部を形成せずとも、現場でインサートを使うときにハンマーなどを用いてプラグ部を壊し外に排出したり、あるいは、プラグ部の雄ねじを壊してインサート内部に押し込むことにより、インサートを使用できる状態にすることも簡単にできる。
【００３３】
　本発明に係るインサート保持具を用いてコンクリート製品を製造する場合は、型枠の所定の位置に予め開けられた小径の設定孔に突起部を挿入し、インサート保持具を介してインサートを型枠の所定の位置に設定し、型枠へコンクリートを注入することを特徴とする製造方法を採用できる。また、脱型時に働く力によって突起部をプラグ部から切断し、コンクリート製品を型枠から脱型することを特徴とする製造方法も採用できる。さらに、コンクリート製品を脱型した後にコンクリート製品の表面に露出した操作部を用いてプラグ部をコンクリート製品に埋設されたインサートから取り外すことも可能となる。
【００３４】
　さらに、本発明に係るインサート保持具を採用することによって、インサートを設定する所定の場所に、インサートの内径より小さな内径で突起部を挿入可能な少なくとも１つの設定孔を有することを特徴とする耐久性の型枠を採用することができる。このため、高精度で、歪みの発生の少ない型枠を使用してインサートを埋設したコンクリート製品を製造できる。
【発明の効果】
【００３５】
　以上に説明したように、本発明のインサート保持具は、プラグ部を取り外す際に操作する部分が、設定面に形成されており、脱型後は、コンクリート製品の表面に現れるので、操作し易く、取り外し作業も確実に短時間でできる。
【発明を実施するための最良の形態】
【００３６】
　以下に図面を参照して、本発明の実施例を説明する。
【００３７】
〔実施例１〕
　図１に、本発明の実施例１に係るインサート保持具の概要を示してある。また、図２に、本例のインサート保持具１０を用いてインサート６を型枠４０へ設定する様子を示してある。本例のインサート保持具１０は、内部が中空となったインサート６の開口６ａに装着されるプラグ部１１と、このプラグ部１１から型枠４０の側へ突き出た突起部２０とを備えている。プラグ部１１の型枠４０に面した側に、略平らな設定面１２が構成されており、この設定面１２の略中央から突起部２０が突出している。設定面１２には、この突起部２０を挟んで１対の凹み３０が形成されており、後述するようにこれらの凹み３０に治具を挿入して、プラグ部１１をインサートから取り外しできるようになっている。
【００３８】
　プラグ部１１は、円筒状で外周面１３に雄ねじの形成された封止部１４と、この封止部１４の型枠４０の側で、その外周方向に鍔状に広がったフランジ部１５を備えており、フランジ部１５の型枠４０に面した側が設定面１２となっている。フランジ部１５の外周面１６は、プラグ部１１の先端に、すなわち封止部１４へ向かって狭まっており、コンクリートに埋設された状態のインサート６からプラグ部を取り外す際に、コンクリートと干渉しないようになっている。
【００３９】
　突起部２０は、中心軸２１から半径方向にそれぞれ伸びた４枚のリブ２２によって形成されており、これらによって外径が略５ｍｍ程度で設定面１２から１２ｍｍ程度突出した突起部が形成されている。それぞれのリブ２２は、設定面１２と繋がった接続部分２５から先端２３に向かって徐々に狭まった形状に成形されており、その先端２３は丸みをおびた形状に加工され、突起部２０の先端が鋭角にならないようになっている。接続部分２５近傍は、リブ２２の幅は先端２３に向かって若干広がっており、設定面１２に近い部分が強度的に弱くなっている。また、接続部分２５から型枠４０の略厚み分、例えば３．２ｍｍほど先端２３に向かった箇所２４ａの幅を広くしてあり、突起部２０を型枠４０に挿入した時に型枠４０の裏面を押圧できるようになっている。さらに、本例の突起部２０は厚さの異なる型枠、例えば厚さ４．５ｍｍの型枠に対応する箇所２４ｂでも型枠４０の裏面を押圧できるように、リブ２２の幅を型枠に対応する箇所２４ａから先端２３に向かって一端狭めてから、さらに広げてある。
【００４０】
図２ないし図４を参照して、本例のインサート保持具１０を用いてコンクリート製品を製造する様子を説明する。図２に示すように、本例のインサート保持具１０のプラグ部１１をインサート６の開口となった側に取り付け、突起部２０を型枠４０に予め開けてある小径の設定孔４１に挿入し、インサート６を型枠４０に設定する。突起部２０はリブ２２が十文字に組み合わされ、設定孔４１の内径に合わせて略弾性的に変形できる形状となっている。従って、突起部２０は比較的簡単に、作業員が手で押したり、ハンマーで軽く叩くだけで設定孔４１に装着できる。このように本例のインサート保持具は、インサート６を型枠４０の表側４０ａから作業員１人で簡単に装着でき、手間もかからない。さらに、本例の突起部２０の先端２３は丸く細してあり、設定孔４１に突起部２０が自然と嵌まりこむ。この先端２３は予め開いている設定孔４１に突起部を導けば良いので、鋭角である必要はなく、逆に、作業員や、作業員の着用している衣類などを傷つけないように鈍角、すなわち非尖塔状にしてある。突起部２０は、設定孔４１に挿入されると、設定孔４１に対し嵌め合った状態となる。さらに、型枠４０の厚みに対応する箇所２４ａが、設定孔４１を通過した所で広がって型枠４０の裏側４０ｂを押圧するので、突起部２０によってインサート保持具１０を介してインサート６は、十分強固に型枠４０に設定される。従って、その後、インサート６の設定された型枠４０にコンクリートを流し込んでもインサート６が所定の位置からずれることはない。この後、インサートの設定された型枠にコンクリートを注入して、所定の形状のコンクリート製品２を成形する。
【００４１】
　図３にコンクリート製品を脱型する様子を示してある。インサート６の設定された型枠が内型枠である場合、脱型時は、コンクリート製品２を内型枠４０と共に吊り下げ、振動や空気圧などを用いて内型枠４０をコンクリート製品２の内面に沿って分離させる。この時に、突起部２０とプラグ部１１との接続部分２５は、コンクリート製品２と型枠４０との間に働く剪断力によって、自動的に切断される。従って、従来のような、取付ボルトを外すといった脱型の前作業は一切不要である。また、接続部分２５は脱型時に作用する力によって分断されるので、新たに力を加えるなど余分な手間や作業は一切生じない。さらに、切断されて設定孔４１に残った突起部２０は、針金のようなもので押せば簡単に外れるので、清掃などの手間もかからない。次のコンクリート製品に埋設するインサートを設定するためにインサート保持具を装着すれば、その突起部２０によって設定孔４１に切れて残った突起部２０を押し出すことも可能である。本例の突起部２０のように接続部分２５が若干先端に向かって広がっていると、設定孔４１から切れた突起部２０を押し出すのが容易となる。
【００４２】
　外型枠のように旋回して脱型する型枠にインサートを設定した場合であっても、型枠を旋回する力によって突起部２０は分断される。あるいは、設定孔４１から突起部２０が抜けるだけのときもある。その際、突起部２０は接続部分２５から分断したり、リブ２２が変形するだけなので、インサートの内部に収まったプラグ部１１を外すような力は働かない。従って、型枠を旋回する際の障害になったり、コンクリート製品にこば欠けを起こす原因にならないので、型枠の旋回半径が小さな箇所であっても安心してインサートを設定することができる。
【００４３】
　脱型した後は、図４に示すように、インサート保持具１０の設定面１２がコンクリート製品２の表面に現れる。従って、プラグ部１１を取り外すための操作部３０もコンクリート製品の表面に表れ、この操作部３０に取り外し用の治具３５を挿入してプラグ部１１を逆回転させれば簡単にプラグ部１１を取り外せる。突起部２０は切断され、切れた跡２９が見えるだけなので、操作部３０を使用する際の障害とはならない。現場で使用する直前まで、インサート６にプラグ部１１を装着しておけば、インサート６の中にごみや、水分などが入らないので、ゴミつまりや錆の発生といった不具合を未然に防止できる。従来は、脱型したのちに、キャップなどを新たに装着していたが、本例のインサート保持具を用いれば、このような手間はいらない。コンクリートを打設する際も、プラグ部１１によってのろがインサート６の中には入らない。このように、本例のインサート保持具１０を用いれば、埋設したインサートが使用不能となることを防止でき、さらに、使用する前にエアーなどを用いて清掃する手間を省ける。
【００４４】
　図１（ｂ）に断面を用いて示すように、本例のインサート保持具のプラグ部１１は、設定面１２に対し突起部２０と反対側に開いた円筒状であって、内部１７は中空となっている。一方、上記のような形状をした突起部２０は、プラグ部１１より小径で、設定面１２からプラグ部１１と反対側に延びている。このため、本例のインサート保持具１０は、設定面１２を挟んで突起部２０とプラグ部１１を各々の金型を用いて各々の側から成形できる。すなわち、設定面１２から型枠４０の側は、突起部２０を成形する金型を用いて形成し、反対側はプラグ部１１を形成する金型で成形できる。従って、インサート保持具全体をポリエチレン、ポリプロピレンなどのプラスチック材料から簡単に成形できる。
【００４５】
　プラグ部１１は、その外径がインサートの内径に合わせて８〜１０ｍｍあるいはこの寸法を越えることが多い。プラスチック材料を成形する上で、壁厚が厚いと冷却時間が長くなり、ひけ、気泡などが発生する原因となる。壁厚が４ｍｍ程度以上となるとひけによって歪みが発生し易く、プラグ部１１の寸法精度の確保が難しくなる。しかし、本例のインサート保持具のように、設定面１２によって突起部２０とプラグ部１１をそれぞれ成形できるようにしておけば、プラグ部１１の壁厚の管理も容易である。すなわち、プラグ部１１の外径が大きくなれば、本例のインサート保持具では、設定面１２と反対側が開いた中空のプラグ部１１を採用でき、壁厚を所定の範囲に収められる。従って、インサートの内部に挿入し、確実にインサートを保持し、また、インサートの開口を封止できるプラグ部１１を提供できる。
【００４６】
　設定面１２によってプラグ部１１と突起部２０を各々成形できるようにしておかないと、プラグ部１１を中空にするためには突起部２０の側に開口が必要となる。従って、突起部をプラグ部１１と同じ径の中空としなければならず、突起部の形状は限られ、径も太くなる。これに対し、本例のインサート保持具１０は、プラグ部１１および突起部２０は別々にデザインできるので、細長い突起部を採用しても問題はない。なお、設定面１２から複数の突起部２０を伸ばすことも可能であり、これによってプラグ部１１の形状を変更する必要はない。このように、設定面１２を設けておけば、本例のような細い突起部や、リブを組み合わせたような突起部を有するインサート保持具であっても簡単に、また、安価に製造できる。
【００４７】
　また、図２に示したように、本例のインサート保持具１０を用いる際は、コンクリート製品を成形する型枠４０として、突起部２０を差し込める小径の設定孔４１が予め所定の位置に開けられた型枠を用いれば良い。本例の突起部２０の外径は、略５ｍｍ程度なので、設定孔４１の内径も略５ｍｍ程度で良い。詳細には、突起部２０を設定孔４１に差し込むことによってインサート６を型枠４０に保持する付着力を得る必要があるので、突起部２０の外径と、設定孔４１の内径は、嵌め合わせ、特に、とまりばめ、あるいはしまりばめとなるように選定することが望ましい。
【００４８】
　型枠に開けてある設定孔４１はできるかぎり小さい方が良く、設定孔４１の径がコンクリートののろで自然に詰まる大きさ、例えば直径８ｍｍ程度以下が望ましい。また、突起部２０の強度などを考慮すると、突起部２０の外径は２ｍｍ程度以上、望ましくは３ｍｍ程度以上となるので、設定孔４１の内径も、２ｍｍ程度以上が良く、３ｍｍ程度以上が望ましい。直径１０ｍｍ程度であってもテープなどによって溶接を用いずに簡易に塞げ、型枠に悪影響を与えずに済む。このように、本例のインサート保持具を用いれば、インサートの設定位置が変更になっても型枠に歪みなどを発生する補修は不要なので、客先の要求に応じ、種々の場所に無理なくインサートを埋設できる。また、初期に型枠に設定孔を開ける際も、歪みなどの発生は少ないので簡単に行える。
【００４９】
　耐久性の型枠４０を用いる上で、設定孔４１に影響を及ぼさないように、突起部２０の方が変形する必要がある。本例の突起部２０は、突起部２０が略弾性的に変形できるように４つのリブ２２が十字状に組み合わさっており、また、素材としても弾性力を期待できるプラスチック材料を用いてある。設定孔４１に突起部２０を差し込むと、設定孔４１の中になった部分は、多少塑性変形を起こすが、設定孔４１の内面を圧迫し、摩擦力によってインサートを型枠に設定する付着力を得ることができる。また、設定孔４１を貫通して、型枠の裏面４０ｂに出た部分は、元の形状へ復帰する傾向があるので設定孔４１から裏面４０ｂ側にわたる部分に引っ掛かり、この部分２４ａでも付着力を得ることができる。さらに、弾性的に変形する断面形状の突起部２０を用いることにより、突起部２０を設定孔４１に嵌め込み易くなるので、作業員にとってインサートの設定がより簡単になるというメリットも得られる。
【００５０】
　なお、突起部２０は１つに限らず、複数の突起部を設けても良い。インサートが大きくなったり、コンクリートの注入速度が早いなどの製造上の条件によって、複数の細い突起部をインサート保持具に設けることにより、必要な付着力を得られる。
【００５１】
　また、突起部に採用可能な略弾性的に変形する形状は、本例に限定されるものではない。弾性的に、あるいは多少の塑性変形を伴って設定孔の形状に沿って変形可能な形状であれば良い。例えば、略三日月型、多角形、星型など設定用の穴に２点以上で接触できるような形状がある。また、突起部の長手方向や周方向に周期的に凹凸を繰り返すような形状を備えた突起部や、中空の筒型の突起部などの略弾性的な変形を期待できるものであっても良い。さらに、プラスチック材料などの弾性的な素材を用いた突起部であれば、設定孔に略密着する柱状の突起部であっても良い。また、設定孔の形状も本例のように円形に限らず、突起部の形状に対応した多角形の孔、あるいは孔の形状が厚さ方向に変化するものなどであっても良い。
【００５２】
　突起部が設定孔に合わせて略弾性的に変形すれば、上記のような効果を得られるので、型枠として用いられている金属より柔らかいアルミニウムなどの金属を用いても良い。プラグ部と一体成型可能で安価であり、素材自体にある程度の弾性を期待でき、また、型枠に損傷を与えずにすむ点では、プラスチック材料等の合成樹脂を用いることが望ましい。
【００５３】
〔実施例２〕
　図５に、本発明の実施例２に係るインサート保持具１０の概要を示してある。本例のインサート保持具１０は、設定面１２から突き出た略円柱状の突起部２０と、設定面１２に対し突起部２０の反対側に形成されたプラグ部１１を有している。なお、以下において本例のインサート保持具と実施例１と共通する部分には同じ符号を付して説明を省略する。
【００５４】
　本例のインサート保持具１０の突起部２０の先端２３は角が落とされ、先端に向けて滑らかに狭まっている。このため、突起部２０は、実施例１と同様に作業着などに傷を付けずに設定孔に嵌まり易くなっている。また、突起部２０の外周には、突起部２０の半径方向に略三角形状に延びた４本のリブ２２を設けてある。本例のリブ２２は、突起部２０の先端に向いた面２２ａが先端２３から接続部分２５に向かって突起部２０の半径方向に広がっており、一方、接続部分２５に向いた面２２ｂが先端２３から接続部分２５に向かって突起部２０の半径方向に狭まっている。これらの面２２ａと２２ｂとの頂点２２ｃは、型枠の厚みと略合致する点に形成されており、突起部２０が型枠の設定孔に挿入されると、頂点２２ｃが型枠の裏側にでて、面２２ｂで型枠の裏面を押圧する。また、突起部２０の接続部分２５には、突起部２０の外周面に沿って凹み２６を設けてある。脱型時に接続部分２５に剪断力が働くと、この凹み２６の部分の断面積が小さくなっているので、凹み２６の部分で突起部２０は設定面１２から切断される。
【００５５】
　本例のプラグ部１１は、実施例１と同様に設定面１２に対し、突起部２０と反対側が開いた筒形であり、外周面１３は樹脂製の滑らかな面が表れている。従って、内面に雌ねじの成形されたインサートの内部に封止部１４をねじ込めば、封止部１４の外周面１３に雄ねじが切られて、プラグ部１１をインサートの内部に密着した状態で装着できる。
【００５６】
　図６ないし図９を参照して、本例のインサート保持具を用いてコンクリート製品を製造する様子を説明する。本実施例では、インサートとして六角の高ナット９１を用いており、この六角ナット９１の一方の端にアンカー９２を装着してコンクリート製品に埋設してある。
【００５７】
　図６に示すように、本例の型枠４０は、実施例１と同様に小径の設定孔４１をインサートを設定する所定の箇所に予め開けてある。インサート保持具１０は、プラグ部をナット９１のアンカー９２を装着した側と反対側にねじ込み、突起部２０を設定孔４１に挿入する。突起部２０は、設定孔４１と嵌め合う径となっており、押し込まれると型枠の裏面４０ｂの側に出たリブ２２が広がって型枠４０を押圧する。従って、高い付着力を得ることができ、大きなインサートでも確実に型枠に設定できる。インサートを型枠４０に設定する際、本例では、インサート保持具１０の設定面１２の外周に沿って薄いリング状のシール材９８を取り付けている。このシール材９８は、発泡プラスチックなどが薄膜状のリング型に成形されたものであり、厚み方向にある程度の弾性を備えている。シール材９８を設定面１２と型枠の表面４０ａとの間に入れてインサート保持具１０を型枠に装着すると、設定面１２と型枠の表面４０ａとの間に隙間が発生せず、コンクリートののろの侵入を防止できる。
【００５８】
　図７に示すように、本例のインサート保持具１０においても、内型枠を脱型する際のように突起部２０の接続部分２５に剪断力が加われば、突起部２０はプラグ部１１から分断される。従って、インサート保持具１０を取り外す手間はいらない。本例では、接続部分２５に凹み２６を設けているので、この部分に脱型時に加わる力が集中し、突起部２０が切断される。切断された突起部は、図８に示すように、リブ２２の面２２ｂによって型枠の裏面４０ｂを押圧できるようにしてあるので、型枠の裏面４０ｂ側に押し出される。従って、分断された突起部２０を型枠４０から簡単に取り除ける。
【００５９】
　図９に示すように、脱型後、コンクリート製品の表面に設定面１２が表れ、この設定面１２に操作部３０が用意されている。このため、操作部３０の操作は簡単にでき、プラグ部１１を回転させることによってプラグ部１１を簡単に取り外せる。本例の封止部１４の外周面１３には、予め雄ねじを形成してないが、インサート９１に挿入する際に外周面１３に雄ねじが形成されるので、プラグ部１１を反対方向に回せば、プラグ部１１はインサート９１から取り除ける。さらに、本例では、シール材９８によって設定面１２が明確に現れ、インサートの位置が判り易い。また、コンクリートののろが設定面１２の上に回ってこないので、操作部３０の操作も確実に行え、のろにプラグ部１１の動きが阻害されることもないので、取り外し作業は簡単である。
【００６０】
　図１０に、本実施例の異なる変形例を示してある。図１０（ａ）は、インサート保持具１０の側面を示し、突起５０に関しては、構造が判るように断面を用いて示してある。また、図１０（ｂ）は、インサート保持具１０を設定面１２の方向から見たようすを示してある。
【００６１】
　本例のインサート保持具１０はプラスチックなどの樹脂による一体成形品であって、設定面１２から延びた突起部２０と、プラグ部１１とを備えている。なお、上述した実施例と同じ箇所については、同じ符号を付して説明を省略する。
【００６２】
　本例の突起部２０は、先端２３から略円錐状に広がった上半部５２と、円柱状に細くなった下半部５３とを備えている。本例の突起の上半部５２は、いわゆる峰矢型をしており、上半部５２の広がった裾野の部分５４は、上半部５２と下半部５３とを接続する部分５５より後退した位置にある。そして、下半部５３の長さは、型枠４０の厚みより若干長い程度に設定してある。突起部２０の下半部５３と設定面１２との接続部分２５に、突起部の断面積が狭くなるように切れ込み５６を用意してある。
【００６３】
　このインサート保持具１０のプラグ部１１は、厚みの薄いディスク状の封止部１４を備えており、この封止部の外周面１３に数山の雄ねじを設けてある。従って、プラグ部１１をインサート６の内部にある雌ねじにねじ込めば、インサート保持具１０をインサート６を設定できるようにしてある。
【００６４】
　本例の設定面１２に設けられた操作部３０は、突起部２０を中心に設定面１２の半径方向に延びた２本の溝３１を備えており、この溝３１に治具を差し込んでプラグ部１１を回せば、インサート６から取り除けるようになっている。
【００６５】
　図１１に、本例のインサート保持具１０を用いてインサート６を型枠４０に設定したようすを示してある。本例のインサート保持具１０を用いてインサートを設定する場合も、インサートの設定する箇所に小径の設定孔４１の開いた型枠４０を用いることができる。インサート６の取り付け側６ａにインサート保持具１０を挿入し、プラグ部１１から設定面１２を経て突出した突起部２０を設定孔４１に挿入する。突起部５０を設定孔４１に挿入すると、設定孔４１を突起部の先端が通過する間は、突起部２０の上半部５２は狭まり、裏面４０ｂに到達すると広がる。広がった上半部５２の裾野の部分５４は、型枠４０の裏面４０ｂを押圧し、プラグ部１１を介してインサート６を型枠４０に引っ張る。これにより、インサート６を型枠４０に設定する付着力を確保できる。このような突起部を用い、インサート保持具を介してインサートを設定しておけば、コンクリートを注入する際にインサートにかかる力や、振動装置による負荷に対してインサートを十分強固に型枠へ設定できる。
【００６６】
　本例のインサート６は、取り付ける側６ａに、本体から外側に広がったフランジ部６ｂを備えている。また、インサート内部の雌ねじ部も、取り付ける側６ａから若干後退した位置から始まっている。このため、インサート保持具１０の設定面１２は直接型枠４０の表面４０ａに接触しておらず、インサート保持具１０を介して、インサート６を型枠４０の方に引っ張り、型枠にインサートのフランジ部６ｂを押しつけることによって安定した状態を確保している。
【００６７】
　図１２に、インサート６を本例のインサート保持具１０によって型枠に取り付けて、インサート６の埋設されたコンクリート製品２を脱型する様子を示してある。本例のインサート保持具も、脱型する際の力が突起部２０の接続部分２５に集中するので、突起部２０は切れ込み２６の部分から分断される。さらに、本例においては、突起部２０の下半部５３は、設定孔４１より細くても良いので、型枠４０に残った突起部２０が下半部５３で詰まることはなく、さらに取り外し易い。なお、突起が分断されるタイプに代わり、上半部５２の強度を小さくして、裾野の部分などを破壊され易くしても良い。このような突起部であれば、脱型する際の力によって上半部５２が破壊されるので、突起部自体はプラグ部１１に付いた状態で脱型される。
【００６８】
　図１２に本例のインサート保持具１０のプラグ部１１を取り外す様子を示してある。本例のプラグ部１１を取り外す際は、図９に示したような取り外し用の治具３５を使用して回転して取り外すことも可能である。それに加えて、図１３に示すように、プラグ部１１をハンマーあるいは棒３７などの治具により叩いても良い。プラスチックなどの樹脂で成形されたプラグ部１１の封止部１４には雄ねじが数山しか用意されていないので、プラグ部１１を叩くとそれらのネジ山が破壊され、プラグ部１１をインサート６の内部に押し込むことができる。これにより、インサート６は使用可能となる。インサート６を型枠４０に設定するために必要な力はそれ程大きくないので、プラグ部１１に設ける雄ねじ１３の山数は少なくて良い。このため、上記のような取り外し方が可能となる。また、設定面１２に操作部３０として用意された溝３１を、ドライバーなどを当てて叩くことにより、プラグ部１１を破壊して取り外しても良い。取り外し方法は、インサートの設置向きや、インサートの使用目的などを考慮し、決定すれば良い。
【００６９】
　図１４および図１５に、本実施例に係るインサート保持具１０の異なる例を示してある。図１４に示したインサート保持具１０の突起部２０は、先端２３の方が、先端に向かって細くなった略円錐台形の筒形５７ａであり、接続部分２５の方は、設定面１２に向かって若干細くなった円錐台形の筒形５７ｂである。そして、これら２つの円錐台形が合わさった箇所５７ｃは型枠４０の厚みと対応した位置にあり、この箇所５７ｃが突起部２０において最も外側に広がった箇所となっている。従って、本例のインサート保持具１０においても、突起部２０の先端２３は徐々に細くなっており、先端に向けて細くなった円錐台形の部分５７ａは型枠の裏面４０ｂにでると広がる。これに引っ張られて、円錐台形の部分５７ｂの合わさった箇所５７ｃに近い部分が設定孔４１の裏面側の部分を押圧し、大きな付着力を確保できる。さらに、円錐台形の部分５７ｂは、接続部分２５の近傍が最も断面積が小さくなり、脱型する際はこの部分から突起部２０が切断される。
【００７０】
　図１５に示すインサート保持具１０は、図１４に示したものと同様の、先端側に先端に向かって細くなった円錐台形の円筒状をした突起部２０を備えている。本例の突起部２０の接続部分２５の近傍は円筒状であって、その部分に突起部２０の伸びた方向に沿って複数の切れ込み５８が設けてある。従って、接続部分２５の近傍の断面積が小さくなり、脱型する際に働く力によって突起部２０がスムーズに分断される。
【００７１】
〔実施例３〕
　図１６に、本発明の実施例３に係るインサート保持具の概要を示してある。本例のインサート保持具１０は、インサート６に挿入されるプラグ部１１と、このプラグ部１１の型枠に面した側の設定面１２から突出した突起部２０を備えており、全体をポリプロピレンなどの通常用いられることの多いプラスチックや、強化ポリエチレン、ガラス繊維強化プラスチックなどのエンジニアリングプラスチックなども含めたプラスチック材料により一体成形してある。本例のインサート保持具１０は、設定面１２の突起部２０を挟んで、図面上の上下の２つの面３２が段差状に後退して操作部３０を形成してある。そして、この面３２に続き、突起部２０と反対側に封止部１４が延びており、この外周面１３に雄ねじを形成してある。すなわち、操作部を構成する面３２から略平行に立ち上がった側面３３によって台座状の部材が形成されており、この型枠側に設定面１２が設けられている。そして、この側面３３に治具を引っかけてプラグ部１１を回転させれば、プラグ部１１を取り外しできる。
【００７２】
　本例のインサート保持具１０の突起部２０は、先端２３が半球状となった棒状の部分６１と、この棒状の部分６１に沿って設定面１２の表面から延びた４本の凸部６２とから形成してある。４本の凸部６２は、棒状の部分６１の周囲に均等に配置してあり、それぞれの凸部は先端２３の近傍で低くなり、滑らかに棒状の部分６１の先端２３へと繋がっている。本例においては、このような形状をした突起２０はプラグ部１１と一体に成形してあるが、突起２０を削り出したり、あるいは成形した突起をプラグ部１１に接着剤などで取り付けても良い。
【００７３】
　図１７に、本例のインサート保持具１０をインサート６に装着するようすを示してある。本例のインサート６は、コンパネ用に用いられるインサート保持具７０の筒体７１に挿入してあり、この筒体７１の反対側７２から本例のインサート保持具１０を挿入する。インサート６に本例のインサート保持具１０をねじ込むと、プラグ部１１の雄ねじ１３がインサート６の雌ねじ７に嵌まりインサート保持具１０をインサート６に装着できる。プラグ部１１の設定面１２は、封止部１４から型枠側に伸びているので、インサート保持具７０の開口端近くに位置する。従って、突起部２０は、インサート６を嵌めたインサート保持具７０から型枠４０の方向に突き出る。このように、本例のインサート保持具１０は、コンパネ用のインサート保持具と組み合わせて使用できる。
【００７４】
　図１８に、本例のインサート保持具１０を用いて、型枠４０へインサート６を設定するようすを示してある。本例のインサート保持具１０を用いてインサートを設定する型枠４０は所定の箇所４５の略中央にインサート６の内径や、コンパネ用のインサート保持具７０の内径より小さな設定孔４１を開けてあり、従来の耐久性型枠のような大きな孔は不要である。
【００７５】
　図１９に、突起部２０が設定孔４１に差し込まれた状態を拡大して示してある。本例のような形状の突起部２０を、型枠に開けてある突起部２０の外周径より若干小さな径の設定孔４１に挿入すると、凸部２２が孔４１に沿って変形し、このときの弾性的な反発力や、孔４１に密着した際の摩擦力によって付着力を得てインサート保持具１０が強固に設定される。また、本例のインサート保持具１０は、全体がプラスチックなどの樹脂によって成型してあるので、棒状の部分６１も弾性的に変形し、型枠への付着力を高めている。さらに、突起部２０は型枠の厚みより長いので、型枠を貫通した突起部２０の先端２３側は元の径まで膨らもうとする。このため、先端２３側がプラグ部１１を型枠側へ引っ張り、インサート保持具の付着力は高められる。このような突起部２０によって十分な付着力を得られるので、コンクリートの注入時や、その後の振動によりインサートにかかる力に対抗するには、突起部２０の直径はプラグ部１１の直径より小さくしても良い。また、設定面１２から突起部２０が突き出ているので、径の小さな突起部でも問題なく製造できる。
【００７６】
　突起部２０の長さは、型枠に使用される板の厚みによって変化するが、型枠には厚さ３．２〜４．５ｍｍの鉄板が使用されることが多いので、突起部２０の長さは６〜１５ｍｍ程度でよい。設定孔４１と突起部２０との接触面積を大きくするために、設定孔４１にそって鞘管を型枠の裏面にもうけることも可能であり、このようなケースでは、突起部２０の長さは長くなる。突起部２０を型枠に開けてある設定孔４１に差し込んで付着力を得るようにしてあるので、型枠４０の表面に油脂、離型剤などが塗布されていてもインサートを安定して設定できる。
【００７７】
　なお、本例においては、従来のインサート保持具７０のフランジ部７３が型枠４０の表面４０ａに密着させて、コンクリートののろが設定面１２、あるいは操作部３０に侵入する事を防止している。また、本例のインサート保持具１０を用いると、封止部１４によりインサート６の開口端は完全に封止されているので、フランジ部７３からコンクリートが漏れた場合であっても、インサート６の内部にはコンクリートは入らない。また、上記の実施例のようなスポンジなどの弾性を有する素材によるシーリング部材を予め設けておいても良い。
【００７８】
　図２０に、本例にインサート保持具１０の突起部２０が脱型時に作用する力によって切断される様子を示してある。内型枠４０は、コンクリート製品と共にクレーンなどにより若干上方に持ち上げ、振動、エアーの注入などの方法により内型枠４０を下方に落下させられる。型枠が落下する際は、型枠とコンクリート面との間に型枠とコンクリートとの付着力より大きな力が働き、この力により、型枠４０に挿入された突起部２０がプラグ部１１から分断され、あるいは、型枠４０の設定孔４１から突起部２０が抜ける。このため、本例の係るインサート保持具を用いてインサートを設定しておけば、インサートを埋設したコンクリート製品であっても、埋設物のないコンクリート製品と同様の工程で内型枠を脱型できる。なお、インサート６はコンクリート製品２に既に埋設されているので、突起部２０が分断したり、型枠から抜ける際の力で、インサート６が損傷したり、埋設した位置がずれるようなことはない。
【００７９】
　本例のインサート保持具を使用した場合も、脱型する際に安全で、効率の良い作業ができる。また、型枠に用意する設定孔も小さくてすみ、インサートの設定位置は客先の要求に応じてフレキシブルに変えられるなど、上記の実施例と同様の効果が得られる。
【００８０】
図２１にインサート保持具のプラグ部１１を取り外すようすを示してある。例えば略Ｕ字型をした治具３５を、設定面１２に構成した操作部３０に挿入し、プラグ部１１を回転して取り外せば良い。これにより、内面が綺麗に保たれたインサート６が現れるので、いつでも支障なくインサート６を使用できる。埋設されたインサートを現場で使用しない場合は、プラグ部１１が嵌まった状態で放置しておけば、インサートから錆が発生することもなく、必要となったときに何時でも使用できる状態で保持できる。
【００８１】
　なお、操作部３０を構成する後退した面３２は、取外しの時にインサートとの間に適当な治具を挿入できる隙間を形成できる形状であれば良く、本例に限定されない。例えば、円形に凹んでいたり、多角形の表面を持つ台座などであっても良い。
【００８２】
〔実施例４〕
　図２２および図２３に、本発明の実施例４に係るインサート保持具１０の概要を示してある。本例のインサート保持具１０は、実施例１と同様に円筒形のプラグ部１１を備え、設定面１２から３本の突起部２０が突き出ている。それぞれの突起部２０の形状は、図１に基づき説明した実施例１の突起部と略同じ形状なので、説明は省略する。さらに、本例の設定面１２の略中央に、操作部３０として一本の溝３４が形成されており、この溝３４は、インサート保持具の中心軸に対しほぼ垂直に延びている。なお、本例のインサート保持具と上述した実施例と共通する部分は、同じ符号を付して説明を省略する。
【００８３】
　本例のインサート保持具１０は、複数の突起部２０を設定面１２の周囲に沿って設けてあるので、操作部３０を設定面１２の中央に配置しても突起部２０との干渉はなく、操作部３０を操作し易く、製造も容易である。また、複数の突起部を設けることによって、一本当たりで得る付着力を少なくできるので、突起部の径を小さくできる。なお、突起部の数は本例に限定されるものではなく、３本以上であってももちろん良い。本発明のインサート保持具では、これらの突起部が設定面に設けるようにしているので、突起部の数が変わってもプラグ部の形状に影響を与えずに済む。また、操作部３０の形状は、本例のように一本の溝に限らず、十字状の溝や、六角レンチの入る凹みなどさまざまなものを採用できる。
【００８４】
　本例のインサート保持具に対応する型枠には、３本の突起部２０と同じ配置で３つの設定孔の開けておけば良い。それぞれの設定孔の形は、突起部２０と対応した小径のものでよく、精度が高く脱型が用意で、インサートの設定位置の変更もできる型枠を使用できる。
【００８５】
　図２４に、成形されたコンクリート製品２に埋設されたインサート６からプラグ部１１を取り外す様子を示してある。本例のインサート保持具１０を使用すると、脱型時に働く力によって突起部２０は切断されるので、成形されたコンクリート製品には、突起部２０の切断された跡２９が残るだけである。従って、コンクリート製品の表面に露出した設定面１２の中央にある操作部３０をドライバー３５によって回転させれば、簡単にプラグ部１１を取り外しでき、ゴミ等の入っていないインサートを使用できる。
【００８６】
　図２５に、本実施例に係るインサート保持具の異なる例を示してある。本例のインサート保持具１０は、プラスチック材料から成形されており、設定面１２から略円筒形の２本の突起部２０が突出している。これらの円筒形の突起部２０は、その先端２３の角が落としてあり、設定孔に差込み易いようになっている。また、これによって、作業員や、作業着を傷つけないようになっている。各突起部２０の接続部分２５には、断面が小さくなるように周方向に凹み２６を設けてあり、脱型時に切断力が働くと、この凹み２６から突起部２０が切断されるようになっている。
【００８７】
　図２６に、本例のインサート保持具１０を用いてインサート、本例においてはアンカー９２に付いたナット９１を設定する様子を示してある。本例のインサート保持具１０を使用する際は、突起部２０に対応する位置に小径の設定孔４１が２つ開いた型枠４０を用いれる。円筒形の突起部２０を設定孔４１に差し込むと、設定孔４１に差し込まれた部分が撓み、その前後が膨らむ。従って、設定孔４１内における摩擦力や、撓んだ状態の突起部２０によって型枠の裏面４０ｂが押圧されるので、十分な付着力を得られる。さらに、２本の突起部２０を用いてインサートを型枠に設定できるので、大型のインサート保持具であっても十分強固に型枠に設定できる。
【００８８】
　図２７に、本例のインサート保持具１０を用いてインサート９１を埋設したコンクリート製品を脱型するようすを示してある。本例のような円筒形の突起部２０も、接続部分２５に剪断力等の脱型時に発生する力が加わると突起部２０は切断され、インサートの埋設されていないコンクリート製品と同様に手間をかけずに脱型作業を行える。本例の円筒状の突起部２０は、外径が３〜８ｍｍ程度、あるいは１０ｍｍ程度に抑えており、それぞれの接続部分の断面積を大きくならないようにしている。これによって、径の大きな突起部に起こりやすい、円形の断面が歪みや、円周方向の潰れを防止し、スムーズな切断を促すことによってプラグ部や封止部に影響を及ぼさないようにしている。また、小径の突起部を採用することによって、円筒形ではなく、中空部のない円柱状の突起部を採用し、突起部の歪みや潰れによる影響を防止することも可能である。
【００８９】
図２８に、本実施例の上記と異なる形状の突起部２０を２つ持ったインサート保持具１０を示してある。この図に示した突起部２０の大まかな形状は、上半部５２は先端２３からテーパー状に広がり、一方、上半部５２から下半部５３にかけては、徐々に狭まるものである。突起部５０は、プラグ部１１の設定面１２から先端２３に向かって突出した支柱６３と、先端２３で支柱６３と連絡した上記のような上半部から下半部にかけた側面を持つ部材６４とから構成してあり、支柱６３と部材６４との間に隙間を設けてある。また、支柱６３の接続部分２５近傍に、切れ込み５６を設け、突起部２０が切断されやすいようにしてある。このような形状の突起部では、弾性を持つ形状に成形されているので、素材としては成型性に優れた硬質なプラスチック、例えばＡＢＳ樹脂、ＰＰＯ等を用いてもよい。素材自身の弾性がさらに高いもの、例えば軟質ＰＶＣなどを用いて突起を構成する場合は、図２８に示したような隙間を設けなくても良い。
【００９０】
　本例の突起部２０を設定孔４１に挿入すると、孔４１を貫通した上半部５２は広がり、これに続いて上半部５２から下半部５３に繋がる部分５７も広がる。従って、穴４１とこの上半部５２から下半部５５にかけた部分５７が、設定孔４１の型枠の裏面側４０ｂから設定孔４１自体を押圧するので、プラグ部１１を介してインサート６を型枠４０に設定できる。また、脱型時にかかる力によって、突起部２０が切断され、あるいは、型枠から引き抜かれるので、上記の実施例と同様にインサート６を埋設していないコンクリート２次製品と同様の脱型の工程を採用できる。突起部２０を脱型時に効率良く切断させるためには、叙述した幾つかの例と同様に下半部５３を逆テーパー状、すなわち、設定面１２に向かって細くなるような形状としても良い。
【００９１】
　図２９に、本実施例に係るインサート保持具の異なる例を示してある。本例のインサート保持具１０は、２本の突起部２０を有し、それぞれ突起部２０は、細長い支柱６３と、その先端でインサート保持具の外側に広がった鉤状の部分６６を備えており、鉤状の部分６６は反対側に延びている。また、支柱６３同士の距離Ｌ１は、設定孔４１の中心の間隔Ｌ２よりも長くなっており、本例のインサート保持具１０の突起部２０を型枠４０に挿入すると、支柱６３のインサート保持具１０の中心に対し外側に当たる面が、設定孔４１に当たり、この部分で摩擦による付着力を得られる。さらに、型枠を貫通した鉤状の部分６６が、型枠の裏面側で反対側に延びているので、これらの部分６６によってインサート保持具は型枠の裏面側４０ｂに引っ掛かる。これらの力によって本例のインサート保持具は、インサートを型枠に設定するために十分な付着力を得られる。
【００９２】
　なお、支柱同士の距離Ｌ１と設定孔４１の間隔Ｌ２との関係は、本例と逆でも良く、鉤状の部分６６は内側を向いて伸びていても勿論良い。また、これら複数の突起部を同時に挿入できる設定孔を型枠に設けておいても良いが、設定孔の径を小さくする点からは、それぞれの突起部に対応して設定孔を開けておくことが望ましい。
【００９３】
また、コンクリートの流入方向などに起因して、方向性のある荷重がインサートにかかる場合は、複数の突起部を設け、それらの方向や配置を調整することによって、インサートの傾きや抜けを防止することも可能である。
【００９４】
　さらに、複数の突起部を設定面に設ける場合、設定面の周囲に沿ってこれらの突起部を配置し、設定面に略中央に開口を設けて、上記の実施例と反対側、すなわち、突起部の側に開いた中空のプラグ部を成形しても良い。操作部は、プラグ部の内部に設けても良いが、コンクリートの表面にでる設定面に設けた方が、コンクリート製品の表面から操作する面では好ましい。
【００９５】
〔実施例５〕
　図３０に、本発明の実施例５に係るインサート保持具の概要を示してある。また、図３１に、インサート６の開口端をカバーするインサート保持具７０の筒体７１を用いて、本例のインサート保持具１０を取り付ける様子を示してある。本例のインサート保持具１０は、インサート６の開口側をカバーするインサート保持具７０の開口部７２にプラグ部１１を設定できるものである。そのために、プラグ部１１の封止部１４の外周部１３には、雄ねじ１８を形成してある。また、設定面１２から突き出た、４つのリブ２２が組み合わさった形状の突起部２０を設けてあり、プラスチック材料などの合成樹脂から一体で成形してある。なお、本例のインサート保持具の上記の実施例と共通する部分は同じ符号を付して説明を省略する。
【００９６】
　本例の封止部１４の外周面１３に設けてある雄ねじ１８は、ねじ山を複数の分断してある。すなわち、雄ねじ１８の先端１８ａと末端１８ｂとの間に山をカットした領域１８ｃを設けてある。このため、インサート６の開口側となる従来のインサート保持具７０の開口部７２へ、本例のインサート保持具１０のプラグ部１１をねじ込めば、開口部７２の内側に雌ねじが切られ、プラグ部１１を固定できる。従って、インサート保持具７０に装着したプラグ部１１によってインサート６の開口側を密封できる。さらに、プラグ側の雄ねじ１８の山を分断してあるので、山をカットした領域１８ｃに当たるインサート保持具７０の内面の樹脂部分によってプラグ部１１の動きが阻害される。従って、コンクリート製品の製造中に働く振動などによってはインサート保持具は回転し難く、外れない。
【００９７】
　一方、本例の突起部２０は、略９０°間隔で組み合わされた４枚のリブ２２から構成されており、それぞれのリブ２２は略長方形である。リブ２２の先端２３に近い角は落とされており、型枠に用意されたインサートの設定用の穴に挿入し易いようになっている。これらの４枚のリブ２２によって構成された突起部２０の外周径は、上記の実施例と同様にインサート６の内径より小さくしてある。
【００９８】
　本例の突起部２０は、設定孔に挿入することも、ねじ込むことも可能な突起部であり、以下においてはねじ込む場合を例にとって説明する。また、本例のリブ２２の外周面２８には雄ねじを予め設けてなく、型枠の設定孔にねじ込んだ際に雄ねじが切られるようにしてある。
【００９９】
　図３２に、本例のインサート保持具１０を用いてインサート６を鉄板などで構成された耐久性の型枠４０に設定する様子を示してある。本例のインサート保持具を用いる型枠には、インサートを設定する所定の位置４５の略中央に小径の設定孔４１を開けてあり、その内面に雌ねじ４２を切ってある。そして、インサートを設定する際は、本例のインサート保持具１０を予めインサート保持具７０に取り付けておき、インサート６を持って回す。突起部のリブ２２は、設定孔４１の内面の雌ねじ４２によってねじが切られ、突起部２０が設定孔４１に装着される。
【０１００】
　本例のインサート保持具の突起部２０を設定孔４１にねじ込む際、フランジ部１５の設定面１２が型枠の表面４０ａに当たり、ある程度以上はねじ込めなくなる。また、インサート保持具７０をプラグ部１１にねじ込む際もフランジ部１５に当たりねじ込めなくなる。このようにフランジ部１５は、設定面１２を構成すると共にストッパーとしての機能を果たしている。また、フランジ部１５がストッパーとしての機能を果たすので、インサート６を持ってインサート保持具１０を回転させ突起部２０を設定孔４１にねじ込める。逆に、インサート保持具１０を先に型枠に装着し、その後、インサート６を取り付けても良い。
【０１０１】
　インサートの開口が位置する領域４５に設けてある設定孔４１は、内部に雌ねじ４２を設けた場合であっても小さな径で良い。従って、型枠への影響は少なく、インサートの設定場所を変えるのも簡単である。
【０１０２】
　図３３に示すように、突起部２０を設定孔４１にねじ込むと、樹脂製のリブ２２の外周面２８に雄ねじが形成されるので、本例のインサート保持具１０を用いて、インサート６を型枠４０の所定の位置に固定できる。本例のインサート保持具１０では、型枠４０にインサート６をねじ止めすることによって、コンクリートが注入されたり、振動が与えられてもインサートが外れたり位置がずれたりしない付着力を得ている。
【０１０３】
　図３４に、型枠４０を内型枠のように滑らして脱型するようすを示してある。型枠を外す際に型枠とコンクリート製品との間に働く剪断力によって突起部２０が剪断され、本例のインサート保持具１０を用いれば、脱型する前にボルトを緩める手間は要らないので、インサートを埋設していないコンクリート製品と同様の工程で脱型できる。
【０１０４】
　型枠４０に残った切断された突起部２０は、リブ２２同士の間の隙間に治具を挿入して回転させれば簡単に取外しできる。あるいは、適当な棒で残った突起２０を押し込めば、樹脂製のリブ２２の外周面に形成された雄ねじが破壊され、型枠４０の裏面側に突起２０を排出できる。
【０１０５】
　図３５に、外型枠や、型枠内部にスペースのある場合に採用される型枠４０を旋回して脱型するようすを示してある。このように脱型が行われる場合、突起部２０には、引っ張り力がかかる。この引っ張り力によって、リブ２２の外周面２８に形成してある雄ねじが破壊されると、突起部２０はインサート６に固定されたプラグ部１１と共に型枠４０の設定孔４１から引き抜かれる。大きな付着力を必要としているときは、型枠の裏面４０ｂにナットなどを溶接して付着力の強化を図れるが、このよう突起部２０が型枠に対してねじ止めされている距離の長い場合などでは、脱型時の引っ張り力によって図３４と同様に突起部２０が分断されることもある。このように、型枠を旋回して取り外す場合であっても、インサートを埋設していないコンクリート製品と同様の工程で作業を行える。また、脱型した後は、略Ｕ字型をした治具３５を、設定面１２に作られた操作部３０に当ててプラグ部１１を回転させれば、インサートを使用できる。
【０１０６】
なお、本例のインサート保持具の突起は４枚のリブを組み合わせた形状であるが、リブの数は４枚に限定されない。さらに、リブの外周面に予め雄ねじを形成しておいてももちろん良い。また、切断され易くするために、突起とフランジ部の表面との境界部分に突起の断面積を小さくできるような切れ込みを設けておいても良い。
【０１０７】
〔実施例６〕
図３６に本発明の実施例６に係るインサート保持具１０を示し、図３７（ａ）に、本例のインサート保持具１０の側面を、また、図３７（ｂ）に本例のインサート保持具１０の正面を示してある。本例のインサート保持具１０はプラスチックなどの樹脂による一体成形品であって、インサートの開口側にねじ込み可能なプラグ部１１と、その型枠側に広がった設定面１２と、設定面１２から突出した突起部２０を備えている。なお、本例のインサート保持具の上記の実施例と共通する部分は、同じ符号を付して説明を省略する。
【０１０８】
　本例のプラグ部１１は、インサート６の内部に直接挿入するタイプであり、プラグ部１１の外周面１３には、インサート６の内部に用意されている雌ねじと合致した雄ねじを形成してある。また、本例の突起部２０は、プラグ部１１より小径の円柱であり、その先端は型枠に用意された設定孔に差し込み易いように多少角を落としてある。この突起部２０の外周面２８には、設定孔に形成してある雌ねじと合致した雄ねじを形成してあり、突起部２０と設定面１２との接続部分２５に、突起部２０の伸びた方向と垂直に突起部２０を貫通する孔６８を設けてある。この孔６８は、接続部分２５の断面積を削減するために設けられており、この部分から突起部が切断されやすいようになっている。さらに、設定面１２には、突起部２０を横断する上記の孔６８に対応する箇所に溝３４が設けられており、突起部２０が切断されると、設定面１２に一筋の溝３４が操作部３０として現れるようになっている。
【０１０９】
　図３８に示すように、本例のインサート保持具１０を、突起部２０や溝３４を用いてインサート６の開口側にねじ込めば、プラグ部１１をインサート６の内部に装着でき、このプラグ部１１によってインサート６の開口側を密封できる。本例の突起部２０は、プラグ部１１の直径に左右されずに、外径を小さくできるので、内部に中空部を持たない円柱状に成形してある。突起部の外径が小さければ、中空の突起部としなくとも切断される部分の断面積を小さくできるので、製造の簡単な円柱状の突起部を採用している。小径の円柱状の突起部や、内部に空間があっても径を小さくすることによって厚肉の突起部とすれば、脱型時に働く剪断力によって突起部の円周部が凹んだり、歪むことは少なく、突起部はスムーズに切断される。
【０１１０】
　図３９に、脱型時に突起部２０がプラグ部１１から切断された状態を示してある。脱型時に剪断力が働くと、突起部２０はプラグ部１１から分断され、コンクリート製品の表面には設定面１２が現れる。そして、突起部２０の切断された跡が、操作部としての溝３４と重なるので、ドライバーなどの治具を差し込んで、簡単にプラグ部１１を取り外せる。
【０１１１】
　図４０および図４１に、本実施例に係るインサート保持具の変形例を示してある。このインサート保持具１０は、上述したものと略同じ構成であるが、プラグ部１１の外周面１３と、突起部２０の外周面２８に雄ねじは形成されておらず、樹脂製の滑らかな面が現れている。また、プラグ部１１の内部は、上記の実施例と同様に設定面１２と反対側に開いた中空１７として成形に必要な樹脂の量を削減すると共に、成形時のひけや歪みの発生を防止している。
【０１１２】
　本例のプラグ部１１は樹脂製であるので、インサート６の雌ねじ７にねじ込めば、プラグ部１１の外周面に雄ねじが形成され、インサート６を開口側を密封した状態で装着できる。また、突起部２０も雌ねじの用意してある設定孔４１にねじ込めば、突起部２０の外周面２８に雄ねじが形成され、インサート６を型枠に設定するのに十分な付着力を得られる。
【０１１３】
　以上に説明したように、本明細書に含まれるインサート保持具は、インサートの側に装着されるプラグ部と、このプラグ部の設定面から突出した突起部とを備え、突起部を型枠に予め用意された設定孔に装着することによってインサートを型枠に設定できるようにしている。これらのインサート保持具によってインサートを設定すれば、他の治具、例えば、設定用のボルトなどは不要であり、これらの治具を型枠に取り付けたり、取り外す手間は全くいらない。従って、作業員１人でも簡単に、短時間でインサートを型枠の所定の位置に設定できる。
【０１１４】
　また、脱型する際は、脱型に係る力によって突起部が切断され、あるいは型枠から抜けるので、インサートを埋設していないコンクリート製品と同じ工程で作業を行える。手の届かない内型枠に本発明に係るインサート保持具を用いてインサートを設定すれば、従来のようなコンクリート製品と型枠を一緒に持ち上げて反転させたり、ジャッキアップした下からインサート固定用のネジを外す危険な工程を省き、省力化をはかれる。また、旋回して取り外す型枠では、旋回半径の小さな場所にインサートを装着してもこば欠けは起きない。
【０１１５】
　さらに、インサート保持具のプラグ部によってインサートの開口側を塞げるので、コンクリートを注入する際ののろがインサートの内部に侵入することはない。また脱型後は、プラグ部によってごみや水分の侵入を防げるので、インサートの内部を詰まりや錆の発生から保護できる。従って、コンクリート製品の成形後にキャップを取り付けるような手間も省ける。
【０１１６】
　また、本例のインサート保持具は、プラグ部を取り外す際に操作する部分が、設定面に形成されており、脱型後は、コンクリート製品の表面に現れるので、操作し易く、取り外し作業も確実に短時間でできる。
【０１１７】
　さらに、これらのインサート保持具では、突起部が設定面から突き出ているので、プラグ部の大きさに関係なく小径の突起部を成形することができる。これによって型枠に用意する設定孔も小さくでき、型枠の精度の劣化を防止し、インサートの位置の変更にもフレキシブルに対応できる。また、突起部の形状とは別にプラグ部を設計できるので、プラスチック材料などによって成形する際に問題となる、ひけや歪みなどの発生を防げる形状を採用でき、インサート保持具を安価に提供できる。
【０１１８】
　このように、これらのインサート保持具を採用することによって、作業員の労力を軽減でき、コンクリート製品の製造期間の短縮とコストの削減を図れ、さらに、顧客の要求にも柔軟な対応が可能である。従って、本発明のインサート保持具は、工場プレハブ化されたコンクリート製品を増産し、大型で高機能のコンクリート製品を供給するうえで好適なものである。
【図面の簡単な説明】
【０１１９】
【図１】本発明の実施例１に係るインサート保持具の概要を示す斜視図（ａ）および断面図（ｂ）である。
【図２】図１に示すインサート保持具を用いてインサートを型枠に設定する様子を一部断面を用いて示す説明図である。
【図３】図１に示すインサート保持具を用いてインサートの埋設されたコンクリート製品を脱型する様子を一部断面を用いて示す説明図である。
【図４】図１に示すインサート保持具のプラグ部を埋設済のインサートから取り外す様子を示す説明図である。
【図５】本発明の実施例２に係るインサート保持具の概要を示す斜視図（ａ）および断面図（ｂ）である。
【図６】図５に示すインサート保持具を用いてインサートを型枠に設定する様子を一部断面を用いて示す説明図である。
【図７】図５に示すインサート保持具を用いてインサートの埋設されたコンクリート製品を脱型する様子を一部断面を用いて示す説明図である。
【図８】型枠に残ったインサート保持具の突起部を示す図である。
【図９】図５に示すインサート保持具のプラグ部を埋設済のインサートから取り外す様子を示す説明図である。
【図１０】本発明の実施例２の異なったインサート保持具の例を示す側面図（ａ）および正面図（ｂ）である。
【図１１】図１０に示すインサート保持具を断面で示すインサートに取付け、型枠に設定した状態を示す説明図である。
【図１２】図１１に示す型枠を用いて成形したコンクリート製品を脱型する状態を示す断面図である。
【図１３】コンクリート製品に埋設されたインサート内部へプラグ部を押し込む様子を示す説明図である。
【図１４】本発明の実施例２に係るインサート保持具の異なった例を示す斜視図（ａ）および断面図（ｂ）である。
【図１５】本発明の実施例２に係るインサート保持具の異なった例を示す斜視図（ａ）および断面図（ｂ）である。
【図１６】本発明の実施例３に係るインサート保持具の概要を示す斜視図（ａ）および断面図（ｂ）である。
【図１７】図１６に示すインサート保持具を、断面図を用いて示す従来タイプのインサート保持具に挿入されたインサートに取り付ける様子を示す説明図である。
【図１８】図１７に示すインサート保持具を取り付けたインサートを型枠に取り付ける様子を示す説明図である。
【図１９】図１８に示すインサート保持具の突起部が型枠の設定孔に挿入された状態を示す拡大図である。
【図２０】図１６に示したインサート保持具によってインサートの埋設されたコンクリート製品を脱型する状態を示す断面図である。
【図２１】コンクリートに埋設されたインサートからインサート保持具のプラグ部を取り外す様子を示す断面図である。
【図２２】本発明の実施例４に係るインサート保持具の概要を示す斜視図である。
【図２３】図２２に示すインサート保持具の断面を示す図である。
【図２４】図２２に示すインサート保持具を用いて埋設されたインサートから、プラグ部を取り外す様子を示す説明図である。
【図２５】本発明の実施例４に係るインサート保持具の変形例を示す斜視図（ａ）および断面図（ｂ）である。
【図２６】図２５に示すインサート保持具を用いてインサートを設定する様子を示す説明図である。
【図２７】図２５に示したインサート保持具によってインサートの埋設されたコンクリート製品を脱型する様子を示す説明図である。
【図２８】本発明の実施例４に係るインサート保持具の変形例を一部断面を用いて示す説明図である。
【図２９】本発明の実施例４に係るインサート保持具の変形例を示す側面図である。
【図３０】本発明の実施例５に係るインサート保持具の概要を示す斜視図（ａ）および断面図（ｂ）である。
【図３１】図３０に示すインサート保持具を、断面図を用いて示す従来タイプのインサート保持具に挿入されたインサートへ取り付ける様子を示す説明図である。
【図３２】図３０に示すインサート保持具を取り付けたインサートを型枠に取り付ける様子を示す説明図である。
【図３３】図３２に示したインサートを設定した型枠にコンクリートを注入した状態を示す断面図である。
【図３４】図３３に示したコンクリート製品を脱型し、その際に突起が切断される状態を示す断面図である。
【図３５】図３３に示したコンクリート製品から型枠を旋回して脱型し、その際に突起が引き抜かれる状態を示す断面図である。
【図３６】本発明の実施例６に係るインサート保持具の概要を示す斜視図である。
【図３７】図３６に示すインサート保持具の側面図（ａ）および正面図（ｂ）である。
【図３８】図３６に示すインサート保持具を断面で示すインサートに取付け、型枠に設定した状態を示す説明図である。
【図３９】図３８に示す型枠を用いて成形したコンクリート製品を脱型する状態を示す断面図である。
【図４０】本発明の実施例６に係るインサート保持具の変形例を示す斜視図である。
【図４１】図４０に示すインサート保持具の構造を示す断面図である。
【図４２】従来のインサートを型枠に固定する方法を示す図である。
【図４３】従来のボルトを用いてインサートを設定する様子を示す拡大図である。
【図４４】プラグを用いてインサートを設定する様子を示す拡大図である。
【図４５】プラグの構造を示す斜視図である。
【符号の説明】
【０１２０】
１、３・・型枠
２・・コンクリート製品
４・・設定用のボス
５、８・・設定用のボルト
６・・インサート
７・・設定用のプラグ
９・・プラグを取り外すための凹み
１０・・インサート保持具
１１・・プラグ部
１２・・設定面
１３・・封止部の外周面
１４・・プラグの封止部
１５・・プラグのフランジ部
１６・・フランジ部の外周面
１７・・プラグ部の中空部
２０・・突起部
２１・・突起部の中心軸
２２・・リブ
２３・・先端
２５・・接続部分
２６・・凹み
３０・・操作部
３５・・インサートの中に残ったプラグ部を取り外す治具
４０・・型枠
４０ａ・・型枠の表面
４０ｂ・・型枠の裏面
４１・・設定孔
４５・・インサートを取り付ける位置
５２・・突起部の上半部
５３・・突起部の下半部
７０・・従来のタイプのインサート保持具
９１・・六角ナットによるインサート
９２・・アンカー
【図１】
2004009741.tif 000003
【図２】
2004009741.tif 000004
【図３】
2004009741.tif 000005
【図４】
2004009741.tif 000006
【図５】
2004009741.tif 000007
【図６】
2004009741.tif 000008
【図７】
2004009741.tif 000009
【図８】
2004009741.tif 000010
【図９】
2004009741.tif 000011
【図１０】
2004009741.tif 000012
【図１１】
2004009741.tif 000013
【図１２】
2004009741.tif 000014
【図１３】
2004009741.tif 000015
【図１４】
2004009741.tif 000016
【図１５】
2004009741.tif 000017
【図１６】
2004009741.tif 000018
【図１７】
2004009741.tif 000019
【図１８】
2004009741.tif 000020
【図１９】
2004009741.tif 000021
【図２０】
2004009741.tif 000022
【図２１】
2004009741.tif 000023
【図２２】
2004009741.tif 000024
【図２３】
2004009741.tif 000025
【図２４】
2004009741.tif 000026
【図２５】
2004009741.tif 000027
【図２６】
2004009741.tif 000028
【図２７】
2004009741.tif 000029
【図２８】
2004009741.tif 000030
【図２９】
2004009741.tif 000031
【図３０】
2004009741.tif 000032
【図３１】
2004009741.tif 000033
【図３２】
2004009741.tif 000034
【図３３】
2004009741.tif 000035
【図３４】
2004009741.tif 000036
【図３５】
2004009741.tif 000037
【図３６】
2004009741.tif 000038
【図３７】
2004009741.tif 000039
【図３８】
2004009741.tif 000040
【図３９】
2004009741.tif 000041
【図４０】
2004009741.tif 000042
【図４１】
2004009741.tif 000043
【図４２】
2004009741.tif 000044
【図４３】
2004009741.tif 000045
【図４４】
2004009741.tif 000046
【図４５】
2004009741.tif 000047